(57)【要約】【課題】既設の建物内への設置を簡易に行える構成としながらも、排水を生じ得る設備の使用途中で稼動を停止させることがないようにする。【解決手段】排水装置は、排水を生じ得る設備からの排水を受ける第１の排水槽３２と、第１の排水槽３２からオーバーフローした排水を受ける第２の排水槽３３とを備えた排水タンク部３０を有する。第１の排水槽３２および第２の排水槽３３には、それぞれ第１の排水ポンプ３６および第２の排水ポンプ３７が設けられている。各排水ポンプ３６，３７は、配水管３８を介して、建物に予め設置されている排水用配管に接続される。【選択図】図４
2007175391.tif 000002
【特許請求の範囲】
【請求項１】
排水を生じさせる設備とともに既設の建物の室内に設置され、前記設備からの排水を前記建物の排水用配管へ送出する排水装置であって、
前記設備からの排水を受け入れる第1の排水槽および該第1の排水槽からオーバーフローした排水を受け入れる第２の排水槽を備えた排水タンク部と、
前記排水用配管に接続される排水管と、
前記第１の排水槽内の排水を前記排水管に送出する第1の排水ポンプと、
前記第２の排水槽内の排水を前記排水管に送出する第２の排水ポンプと、
を有する排水装置。
【請求項２】
前記第１の排水槽内の排水の水位を検出する第１の水位センサ、および前記第２の排水槽内の排水の水位を検出する第２の水位センサと、前記第１および第２の水位センサで検出された水位に応じて前記第１および第２の排水ポンプの運転を制御する制御部と、をさらに有する、請求項１に記載の排水装置。
【請求項３】
前記第1の排水槽におけるオーバーフロー位置の高さは、前記制御部による前記第1の排水ポンプの運転停止水位よりも高い位置にある、請求項１に記載の排水装置。
【請求項４】
前記第１の排水槽と前記第２の排水槽は、連通管を介して連通している、請求項１から３のいずれか１項に記載の排水装置。
【請求項５】
既設の建物の室内に設置されるユニット式シャワーブースであって、
台座部と、
前記台座部上に設けられた、シャワー設備を有するシャワー室と、
前記シャワー設備からの排水を前記建物の排水用配管に送出する、請求項１から４のいずれか１項に記載の排水装置と、
を有し、
前記排水装置の排水タンク部は、前記台座部内に設置されているユニット式シャワーブース。
【請求項６】
前記シャワー設備は、手持ち式のシャワーヘッド、固定式のスポットシャワー、およびミストシャワーの群から選ばれた少なくとも１種である、請求項１から請求項５のいずれか１項に記載のユニット式シャワーブース。
【発明の詳細な説明】
【技術分野】
【０００１】
本発明は、既設の建物の室内に設置される排水装置およびこの排水装置を備えたユニット式シャワーブースに関する。
【背景技術】
【０００２】
近年、美容や健康への関心の高まりから、エステティックサロンやフィットネスクラブが注目されており、その店舗数は増加する傾向にある。エステティックサロンやフィットネスクラブには、シャワー設備が必須である。エステティックサロンやフィットネスクラブは、既設の建物の1フロアまたは複数のフロアを利用して営業を行うケースも多く、この場合は、シャワー設備のための、既設の建物に対する大掛かりな排水設備工事が必要となる。
【０００３】
そこで、特許文献１には、専用の排水設備工事を不要とし、既設の建物に容易に設置することのできる人体洗浄装置が開示されている。
【０００４】
特許文献１に記載の人体洗浄装置は、装置本体のシャワーノズルから排出された排水を一時的に貯留する排水タンクと、既設の建物の排水口と排水タンクとを接続する排出路と、排水タンク内の排水を、排出路を介して排水口に強制的に排出するためのポンプを備えている。排水タンク内には、その中の排水の水位を検出する水位センサが設けられている。ポンプは、水位センサによって検出された排水の水位が一定以上となった時点で運転され、それによって、排水タンク内の排水が排水口に強制排出される。
【０００５】
このように、排水を排水タンクに一時的に貯留し、これをポンプで強制的に排出するようにすることで、既設の建物に対する排水設備工事を行うことなく、人体洗浄装置を容易に設置することができる。
【０００６】
また、特許文献１に記載の人体洗浄装置においては、排水タンク内の異常貯留を検出するフロートスイッチが排水タンク内に設けられている。排水タンク内の異常貯留がフロートスイッチで検出されると、装置全体が非常停止され、これによって、排水タンクから排水が溢れて室内の床面に流れ出るのが防止される。
【特許文献１】特開２００１−７０３９６号公報
【発明の開示】
【発明が解決しようとする課題】
【０００７】
しかしながら、水位センサまたはポンプが故障した場合、排水タンク内の排水が排水タンクの外部へ送出されなくなるので、排水タンク内の水位は次第に上昇していく。そして、排水タンク内の水位がフロートスイッチで検出されると、装置の動作が停止してしまう。このことは、使用者が身体を洗浄している途中で装置の動作が停止してしまうことを意味する。洗浄の途中で装置の動作が停止することは、使用者にとって極めて不都合であり、そのような自体は極力避けられるべきである。
【０００８】
そこで本発明は、排水をタンク内に一時的に貯留するように構成することにより既設の建物内に簡易に設置できる構成としながらも、排水を生じ得る設備の使用途中で稼動を停止させないようにすることを目的とする。
【課題を解決するための手段】
【０００９】
本発明の排水装置は、排水を生じさせる設備とともに既設の建物の室内に設置され、前記設備からの排水を建物の排水用配管へ送出する排水装置であって、
排水を生じさせる設備からの排水を受け入れる第1の排水槽および該第1の排水槽からオーバーフローした排水を受け入れる第２の排水槽を備えた排水タンク部と、建物の排水用配管に接続される排水管と、第１の排水槽内の排水を排水管に送出する第1の排水ポンプと、第２の排水槽内の排水を排水管に送出する第２の排水ポンプと、を有する。
【００１０】
また、本発明のユニット式シャワーブースは、既設の建物の室内に設置されるユニット式シャワーブースであって、
台座部と、台座部上に設けられた、シャワー設備を有するシャワー室と、シャワー設備からの排水を建物の排水用配管に送出する上記本発明の排水装置と、を有し、排水装置の排水タンク部は、台座部内に設置されている。
【００１１】
本発明では、設備からの排水は、第１の排水槽内に貯留される。第1の排水槽に貯留された排水は、第１の排水槽内の水位に応じて、建物に予め備えられている配水管に送水される。ここで、第１の排水ポンプに不具合が発生した場合は、第１の排水槽に貯留された排水は、第１の排水槽からオーバーフローして第２の排水槽へ貯留される。第２の排水槽に貯留された排水は、第２の排水槽内の水位に応じて、建物に予め備えられている配水管に送水される。このように、第２の排水槽を設けることで、第１の排水ポンプに不具合が生じた場合でも排水装置を稼動し続けることができる。そして、不具合が生じた第１の排水ポンプの修理や交換など、第１の排水ポンプの機能を回復するために必要な処置は、排水を生じる設備からの排水の供給が停止した段階で行うことができる。
【００１２】
また、本発明のユニット式シャワーブースにおいては、特に、排水タンク部が台座部内に設置されているので、排水タンク部を有することによるシャワーブース全体の大型化が抑制され、かつ、排水タンク部によって外観が阻害されることもない。
【発明の効果】
【００１３】
本発明によれば、第１の排水ポンプに不具合が発生した場合でも、排水を第１の排水槽から第２の排水槽へオーバーフローさせ、第２の排水槽に流入した排水を第２の排水ポンプで建物の配水管に送出するので、排水装置の稼動をそのまま続行させることができる。
【発明を実施するための最良の形態】
【００１４】
次に、本発明の実施の形態について図面を参照して説明する。
【００１５】
図１は、本発明の一実施形態による排水装置を適用したユニット式シャワーブースの斜視図である。図２は、図1に示すシャワー室内部の的斜視図であり、図３は、図1に示す台座部に設けられた排水装置の上面図であり、図４は、図３に示す排水装置の構成図である。
【００１６】
本実施形態のユニット式シャワーブース１０は、既設の建物の室内に設置されるものであり、建物の室内の床上に設置される台座部１１と、台座部１１上に一体的に設けられた、排水を生じさせる設備であるシャワー室１２と、排水装置３０と、を有している。
【００１７】
シャワー室１２は、天井面と床面と側面とにより箱型に形成されており、側面には扉１３が設けられている。シャワー室１２の内部には、手持ち式シャワーヘッド２３、天井取付けスポットシャワー２４、背中用スポットシャワー２５、腰用スポットシャワー２６、および足用スポットシャワー２７、ミストシャワー（不図示）といった、温水供給部５０から供給された温水を吐出する各種シャワー機器、椅子２２、および鏡２９が設けられている。各シャワー機器の選択および吐出される温水の温度等は、調整部２８で設定することができる。なお、シャワー室１２はこれら全ての機器等を備えている必要はなく、これらのうち任意の１種または複数種を有していてもよい。さらには、防水型の小型テレビ、オーディオスピーカー、ジャグジー付きバスタブなどが備えられていてもよい。
【００１８】
シャワー室１２の床面には、シャワー室１２内のシャワー設備からの排水を受ける排水口２１が設けられている。排水口２１には、床排水トラップ（不図示）が設けられている。
【００１９】
温水供給部５０は、建物に予め備えられている水道管に接続されており、水道管から供給された水を電気またはガスを利用したヒータで加熱し、それによって生成された温水をシャワー室１２内のシャワー機器へ供給する。
【００２０】
排水装置３０は、図３および図４に示すように、排水タンク部３１と、第１の排水ポンプ３６と、第２の排水ポンプ３７と、これら各排水ポンプ３６，３７に接続された排水管３８と、を有する。
【００２１】
排水タンク部３１は、台座部１１内に配置されており、第1の排水槽３２と、連通管３４を介して第１の排水槽３２と接続された第２の排水槽３３と、を有する。このように、排水タンク部３１を台座部１１内に配置することで、排水タンク部３１によるユニット式シャワーブース１０の大型化が抑制され、かつ、排水タンク部３１がユニット式シャワーブース１０の外観を損なうこともない。
【００２２】
連通管３４は、第１の排水槽３２内の排水を第２の排水槽３３へオーバーフローさせるためのものであり、後述する第1の排水ポンプの運転停止時での第１の排水槽３３内の水位よりも高い位置に設けられている。本実施形態では、第1の排水槽３２と第２の排水槽３３とが別体であり連通管３４で互いに接続されている例を示したが、これら両排水槽３２，３３は、１つのタンクを仕切り壁で仕切ることによって構成してもよい。この場合、連通管３４の代わりに、仕切り壁に連通穴が形成される。第１の排水槽３２の上面には排水受入口３５が設けられている。
【００２３】
排水受入口３５は、不図示の配管によって、シャワー室１２の排水口２１と接続されており、排水口２１に流れた排水は第１の排水槽３２内に貯留される構成となっている。排水受入口３５の下方にはゴミ受け６１が取り付けられている。このゴミ受け６１によって、毛髪等の異物が第１の排水槽３２内に流入するのが防止される。
【００２４】
第１の排水ポンプ３６および第２の排水ポンプ３７は、吸込管３６ａ，３７ａと吐出管３６ｂ，３７ｂとが接続されたポンプ本体３６ｃ，３７ｃを有している。第１の排水ポンプ３６は、第１の排水槽３２内に貯留された排水を第１の排水槽３２から吸い出して配水管３８へ供給するためのものであり、その吸込管３６ａの先端部は第1の排水槽３２の底面近傍に配置されているとともに、吐出管３６ｂは排水管３８に接続されている。第２の排水ポンプ３７は、第２の排水槽３３内に貯留された排水を第２の排水槽３３から吸い出して配水管３８へ供給するためのものであり、その吸入管３７ａの先端部は第２の排水槽３２の底面近傍に配置されているとともに、吐出管３７ｂは排水管３８に接続されている。
【００２５】
配水管３８の先端部には、排水用ホース（不図示）が接続される。排水用ホースは、このユニット式シャワーブース１０が設置される建物に既に設けられている排水用配管に接続される。排水用ホースの、配水管３８から排水用配管までの引き回しは、床材の一部に開口部を設け、この開口部から排水用ホースを床下へ通し、床材と床スラブとの間の空間を利用して行うこともできるし、単に室内の周囲に沿って床材の上で排水用ホースを引き回すことによって行うこともできる。第１排水槽３２および第２の排水槽３３内に貯留された排水は、それぞれ第１のポンプ３６および第２のポンプ３７によって強制的に配水管３８へ送出されるので、排水用ホースの引き回しに際して配水管３８から排水用配管までの経路に勾配を設ける必要はない。そのため、排水用ホースの引き回しを自由に行うことができる。
【００２６】
排水用ホースを既設の建物の排水用配管に接続するに際しては、排水用ホースを排水用配管に合流させるだけでよいため、新たに排水用配管を設置する等の排水設備工事は不要である。
【００２７】
各排水ポンプ３６，３７の吐出管３６ｂ，３７ｂの中間部には、排水を浄化するフィルタ６２が内蔵されている。各フィルタ６２は、吐出管３６ｂ，３７ｂに対して着脱自在なカートリッジ式であり、必要に応じて交換することができる。フィルタ６２によって、上述した床排水トラップやゴミ受け６１では除去できなかったジェル成分や細菌等が排水から除去されて、配水管３８へは清浄な状態とされて供給される。したがって、環境に対しても考慮された構成となっている。
【００２８】
第１の排水槽３２には第１の水位センサ４１が設けられている。第1の水位センサ４１は、基準電極４１ａ、運転停止用電極４１ｂ、運転開始用電極４１ｃ、および異常検出用電極４１ｄを有している。各電極４１ａ〜４１ｄは、第１の排水槽３２の上面に取り付けられて、そこから下方に向かって延びている。各電極４１ａ〜４１ｄの先端（下端）の位置は互いに異なっており、下から順に、基準電極４１ａ、運転停止用電極４１ｂ、運転開始用電極４１ｃ、異常検出用電極４１ｄとなっている。また、各電極４１ａ〜４１ｄの下端の位置は、連通管３４の位置よりも低い位置にある。
【００２９】
第２の排水槽３３には第２の水位センサ４２が設けられている。第２の水位センサ４２は、基準電極４２ａ、運転停止用電極４２ｂ、および運転開始用電極４２ｃを有している。各電極４２ａ〜４２ｃは、第２の排水槽３３の上面に取り付けられて、そこから下方に向かって延びている。各電極４２ａ〜４２ｃの先端（下端）の位置は互いに異なっており、下から順に、基準電極４２ａ、運転停止用電極４２ｂ、運転開始用電極４１ｃとなっている。
【００３０】
各水位センサ４１，４２は、ポンプ制御盤４０に接続されている。ポンプ制御盤４０は、各水位センサ４１，４２による検出結果に基づいて各排水ポンプ３６，３７の動作を制御する制御部４３を有する。
【００３１】
なお、図３では、温水供給部５０、各排水ポンプ３６，３７、および配水管３８が、排水タンク部３１と同様に台座部１１内に設置されているが、少なくとも排水タンク部３１が台座部１１内に設置されていれば、温水供給部５０、各排水ポンプ３６，３７、配水管３８の設置位置は任意である。
【００３２】
次に、排水装置３０の動作について説明する。
【００３３】
シャワー室１２内で使用されたシャワー設備からの排水は、排水口２１から排水受入口３５を経由して第1の排水槽３２の内部に流入する。第１の排水槽３２は、排水の流入に伴って内部の水位が上昇する。第１の排水槽３２内の水位が第１の水位センサ４１の運転開始用電極４１ｃの下端位置に達する（すなわち、基準電極４１ａと運転開始用電極４１ｃとが排水を介して導通する）と、第１の水位センサ４１から信号がポンプ制御盤４０の制御部４３に送られて、第1のポンプスイッチ４４がオンとなる。これによって第1の排水ポンプ３６が運転を開始し、第１の排水槽３２内の排水は排水管３８および排水用ホースを経由して、建物の排水用配管に送水される。
【００３４】
第１の排水槽３２内への排水の流入量が第1の排水ポンプ３６の吐出量より少ない場合は、第1の排水槽３２内の水位が次第に低下していく。そして、第１の排水槽３２内の水位が第１の水位センサ４１の運転停止用電極４１ｂの下端位置まで低下する（すなわち、基準電極４１ａと運転開始用電極４１ｃとは導通していないが、基準電極４１ａと運転停止用電極４１ｂとは排水を介して導通している状態になる）と、第１の水位センサ４１から信号がポンプ制御盤４０の制御部４３に送られる。これによって、第1のポンプスイッチ４４がオフとなり、第1の排水ポンプ３６の運転が停止する。
【００３５】
以降、シャワー室１２のシャワー設備を使用し終わるまで、上述した動作が繰り返される。
【００３６】
ここで、第１の排水槽３２内への排水の流入量が第1の排水ポンプ３６の吐出量より多い場合は、第1の排水槽３２内の水位は次第に上昇していく。また、第１の排水ポンプ３６が故障した場合、あるいは運転開始用電極４１ｃに不具合が生じて基準電極４１ａと運転開始用電極４１ｃとの間での導通がとれなくなった場合も、第１の排水ポンプ３６は動作しないので、第１の排水層３２内への排水の流入に伴って第１の排水槽３２内の水位が次第に上昇していく。
【００３７】
なお、第１の水位センサ４１は、運転開始用予備電極（不図示）をさらに有していてもよい。運転開始用予備電極は、その下端位置が運転開始用電極４１ｃと異常検出用電極４１ｄとの間に位置するように設置される。第１の水位センサ４１が運転開始用予備電極を有している場合は、第１の排水槽３２内の水位が運転開始用予備電極の下端位置まで達する（すなわち、基準電極４１と運転開始用予備電極とが導通した状態になる）と、第１の水位センサ４１から信号がポンプ制御盤４０の制御部４３へ送られる。これによって、第１の排水槽３２の水位の上昇原因が運転開始用電極４１ｃの不具合によるものである場合は、第１の排水ポンプ３６が動作し、第１の排水槽３２内の水位が低下していく。一方、第１の排水槽３２の水位の上昇原因が第１の排水ポンプ３２の不具合によるものである場合は、第１の排水ポンプ３２は動作せず、そのまま水位が上昇していく。
【００３８】
第１の排水槽３２内の水位がさらに上昇し、異常検出用電極４１ｄの下端位置まで達すると、第１の水位センサ４１から信号がポンプ制御版４０の制御部４３に送られる。これによって、警報装置（不図示）から警報が発せられ、使用者および／または管理者に、ユニット式シャワーブース１０に不具合が発生したことを知らせる。不具合が発生したことを知った使用者は、管理者に対して不具合が発生したことを知らせる。あるいは、不具合が発生したことを知った管理者は、不具合を回復するために必要な、例えば、製造元へ修理依頼をするといった措置をとる。使用者および／または管理者は、警報装置の動作を停止させることが可能である。
【００３９】
一方、ユニット式シャワーブース１０は、不具合が発生した後も継続して稼動することができる。すなわち、第１の排水槽３２内の水位がさらに上昇し、連通管３４の位置に達すると、第１の排水槽３２内の排水は連通管３４を経由して第２の排水槽３３に流入する。
【００４０】
第２の排水槽３３内の水位が上昇し、第２の水位センサ４２の運転開始用電極４２ｃの下端位置に達する（すなわち、基準電極４２ａと運転開始用電極４２ｃとが排水を介して導通する）と、第２の水位センサ４２から信号がポンプ制御盤４０の制御部４３に送られる。これによって第２のポンプスイッチ４５がオンとなり、第２の排水ポンプ３７の運転が開始され、第２の排水槽３３内の排水は排水管３８および排水用ホースを経由して、建物内の排水用配管に送水される。
【００４１】
第２の排水ポンプ３７の運転によって第２の排水槽３３内の水位が低下し、内部の水位が第２の水位センサ４２の運転停止用電極４２ｂの高さまで低下する（すなわち、基準電極４２ａと運転開始用電極４２ｃとは導通していないが、基準電極４２ａと運転停止用電極４２ｂとは排水を介して導通している状態になる）と、第２の水位センサ４２から信号がポンプ制御盤４０の制御部４３に送られる。これによって、第２のポンプスイッチ４５がオフとなり、第２の排水ポンプ３７の運転が停止する。
【００４２】
このようにして、第１の排水ポンプ３６に不具合が発生したような場合でも、第２の排水ポンプ３７での排水が可能である。したがって、第１の排水ポンプ３６が回復するまでの間も、第２の排水槽３３および第２の排水ポンプ３７をバックアップとして使用し、ユニット式シャワーブース１０を引き続き稼動させることができる。
【００４３】
さらに、第1の排水ポンプ３６および第２の排水ポンプ３７の排水能力は、予想される最大排水よりも小さくすることができるので、第1の排水ポンプ３６および第２の排水ポンプ３７を小型化でき、消費電力も節減できる。
【００４４】
以上、本発明について、排水装置をユニット式シャワーブースに適用した例で説明したが、本発明の排水装置は、既設の建物内に設置される、排水を生じ得る様々な設備のための排水装置として利用することができる。排水を生じ得る設備の例としては、洗濯機、後付けの流し台、後付けの洗面台などが挙げられる。
【図面の簡単な説明】
【００４５】
【図１】本発明の一実施形態によるユニット式シャワーブースの斜視図である。
【図２】図１に示すシャワー室内部の的斜視図である。
【図３】図１に示す台座部に設けられた排水装置の上面図である。
【図４】図３に示す排水装置の構成図である。
【符号の説明】
【００４６】
１０    ユニット式シャワーブース
１１    台座部
１２    シャワー室
２１    排水口
３０    排水装置
３１    排水タンク部
３２    第1の排水槽
３３    第２の排水槽
３４    連通管
３５    排水受入口
３６    第1の排水ポンプ
３７    第２の排水ポンプ
３８    排水管
３９    接続フランジ
４０    排水ポンプ盤
４１    第1の水位センサ
４２    第２の水位センサ
４３    制御部
５０    温水供給部
【図１】
2007175391.tif 000003
【図２】
2007175391.tif 000004
【図３】
2007175391.tif 000005
【図４】
2007175391.tif 000006